(57)【要約】      （修正有）【課題】キーボックス内に収納された鍵を盗まれ難くする。【解決手段】キーボックスの蓋部を施錠する第１錠前機構、キーボックス内に掛け金７を施錠する第２錠前機構９を設ける。ワイヤー１１にて掛け金７と鍵Ｋとを繋ぎ、ワイヤー１１で繋がれた鍵Ｋをキーボックス内に収納する。これにより、鍵Ｋを盗み出す者には、第１錠前機構を解錠した後、更に、第２錠前機構９を解錠する必要がある。したがって、キーボックス内に収納された鍵Ｋを盗まれ難くすることが可能となる。【選択図】図２
0003201477.tif 000002
【実用新案登録請求の範囲】
【請求項１】
鍵を収納するためのキーボックスにおいて、
鍵を収納するためのボックス部であって、内部が開放された開放状態と閉塞された非開放状態とを切替可能なボックス部と、
前記非開放状態を維持する第１錠前機構と、
前記ボックス部に対して変位可能な掛け金であって、当該ボックス部と連結して閉じた環状体を構成する施錠位置と当該連結が開放された非施錠位置との間で変位可能な掛け金と、
前記ボックス部内に設けられ、前記掛け金を前記施錠位置に維持する第２錠前機構と、
前記ボックス部に設けられた貫通穴に貫通挿入可能なワイヤーであって、一端に前記掛け金が貫通挿入可能な環状部を有し、他端に鍵が連結可能な鍵連結部が設けられたワイヤーと
を備えることを特徴とするキーボックス。
【請求項２】
前記第１錠前機構は、ダイヤル式の錠前であって、前記ボックス部内空間を挟んで前記貫通穴と反対側に設けられていることを特徴とする請求項１に記載のキーボックス。
【請求項３】
前記第２錠前機構は、ダイヤル式の錠前であることを特徴とする請求項１又は２に記載のキーボックス。
【考案の詳細な説明】
【技術分野】
【０００１】
本考案は、鍵を収納するためのキーボックスに関する。
【背景技術】
【０００２】
例えば、特許文献１に記載のキーボックスは、鍵の収納室を開閉する蓋体がダイヤル式錠前にて施錠可能な構成となっているとともに、ドアノブ等に当該キーボックスを引っ掛ける（吊り下げる）ためのフックを施錠するため錠前が収納室内に設けられている。
【先行技術文献】
【特許文献】
【０００３】
【特許文献１】登録実用新案第３０１５０８２号公報
【考案の概要】
【考案が解決しようとする課題】
【０００４】
特許文献１に記載の考案では、収納室が開放されてしまうと、その時点で鍵が盗み出されてしまう。本考案は、上記点に鑑み、キーボックス内に収納された鍵が盗まれ難くすることを目的とする。
【課題を解決するための手段】
【０００５】
本願では、鍵を収納するためのキーボックスにおいて、鍵を収納するためのボックス部（３）であって、内部が開放された開放状態と閉塞された非開放状態とを切替可能なボックス部（３）と、非開放状態を維持する第１錠前機構（５）と、ボックス部（３）に対して変位可能な掛け金（７）であって、当該ボックス部（３）と連結して閉じた環状体（１３）を構成する施錠位置と当該連結が開放された非施錠位置との間で変位可能な掛け金（７）と、ボックス部（３）内に設けられ、掛け金（７）を施錠位置に維持する第２錠前機構（９）と、ボックス部（３）に設けられた貫通穴（３Ｃ）に貫通挿入可能なワイヤー（１１）であって、一端に掛け金（７）が貫通挿入可能な環状部（１１Ａ）を有し、他端に鍵が連結可能な鍵連結部（１１Ｂ）が設けられたワイヤー（１１）とを備える。
【０００６】
これにより、本願考案では、鍵を盗み出す者には、第１錠前機構（５）を解錠した後、更に、第２錠前機構（９）を解錠する必要がある。このため、鍵を盗み出す者は、ボックス部（３）を開放状態としたのみでは、当該鍵を盗むことはできない。したがって、キーボックス内に収納された鍵を盗まれ難くすることが可能となる。
【０００７】
因みに、上記各括弧内の符号は、後述する実施形態に記載の具体的構成等との対応関係を示す一例であり、本考案は上記括弧内の符号に示された具体的構成等に限定されるものではない。
【図面の簡単な説明】
【０００８】
【図１】Ａは本発明の実施形態に係るキーボックス１の非開放状態を示す図である。Ｂは本発明の実施形態に係るキーボックス１の開放状態を示す図である。
【図２】Ａは本発明の実施形態に係るキーボックス１において、掛け金７が非施錠位置にある状態を示す図である。Ｂは本発明の実施形態に係るキーボックス１において、掛け金７が施錠位置にある状態を示す図である。
【考案を実施するための形態】
【０００９】
以下に説明する「考案の実施形態」は実施形態の一例を示すものである。つまり、実用新案登録請求の範囲に記載された考案特定事項等は、下記の実施形態に示された具体的構成や構造等に限定されるものではない。
【００１０】
以下、本考案の実施形態を図面と共に説明する。なお、各図に付された方向を示す矢印等は、各図相互の関係を理解し易くするために記載したものである。本考案は、各図に付された方向に限定されるものではない。
【００１１】
少なくとも符号を付して説明した部材又は部位は、「複数」や「２つ以上」等の断りをした場合を除き、少なくとも１つ設けられている。
（第１実施形態）
１．キーボックスの構造
本実施形態に係るキーボックス１は、図１Ａ及び図１Ｂに示すように、ボックス部３、第１錠前機構５、掛け金７、第２錠前機構９及びワイヤー１１等を少なくとも備える。ボックス部３は、鍵を収納するための箱体であって、内部が開放された開放状態（図１Ｂ参照）と閉塞された非開放状態（図１Ａ参照）とを切替可能な箱体である。
【００１２】
具体的には、ボックス部３は箱本体３Ａ及び蓋部３Ｂ等を有して構成されている。箱本体３Ａと蓋部３Ｂとは、ヒンジ（図示せず。）を介して互いに揺動可能に連結されている。ヒンジ部は、非開放状態時にボックス部３の内側に位置し、かつ、ボックス部３の外側に露出（暴露）しない構成となっている。なお、箱本体３Ａ及び蓋部３Ｂは金属製である。
【００１３】
第１錠前機構５は非開放状態を維持する錠前である。第１錠前機構５は、ダイヤル式の錠前であって、ボックス部３内空間を挟んで貫通穴３Ｃ（図１Ｂ参照）と反対側、つまり蓋部３Ｂに設けられている。
【００１４】
すなわち、蓋部３Ｂの裏面側（ボックス部３内空間側）に第１錠前機構５の本体部が組み付けられている。箱本体３Ａには、図２Ａに示すように、第１錠前機構５の本体部に係合する（引っ掛かる）係合突起部５Ａが少なくとも１つ設けられている。
【００１５】
そして、第１錠前機構５の本体部と係合突起部５Ａとが係合した状態において、第１錠前機構５が施錠されると、キーボックス１の非開放状態が施錠された状態で維持される。蓋部３Ｂの表面には、図１Ａに示すように、第１錠前機構５を施錠又は解錠するためのダイヤル部５Ｂが設けられている。
【００１６】
掛け金７は、図２Ａ及び図２Ｂに示すように、ボックス部３に対して変位可能な金属製の中実丸棒にて構成されたものである。当該掛け金７は、ボックス部３と連結して閉じた環状体１３を構成する施錠位置（図２Ｂ参照）と当該連結が開放された非施錠位置（図２Ａ参照）との間で変位可能である。
【００１７】
すなわち、掛け金７は、Ｕ字状又はＪ字状に湾曲した湾曲部７Ａを有している。掛け金７は、湾曲部７Ａが箱本体３Ａに対して離接変位可能に箱本体３Ａに組み付けられている。そして、湾曲部７Ａの一端側７Ｂは、箱本体３Ａの外側から内側に貫通している。
【００１８】
湾曲部７Ａが箱本体３Ａに近接した状態（図２Ｂ参照）においては、湾曲部７Ａの他端側７Ｃの先端側は、箱本体３Ａの外側から内側に貫通した状態となる。このため、当該「貫通した状態」では、掛け金７の湾曲部７Ａ及び箱本体３Ａにより、閉じた環状体１３が構成される（図２Ｂ参照）。湾曲部７Ａの他端側７Ｃの先端が箱本体３Ａから離間した状態では、環状体１３の一部が開放された非施錠位置（図２Ａ参照）となる。
【００１９】
ボックス部３内（本実施形態では、箱本体３Ａ）には第２錠前機構９が設けられている。第２錠前機構９は、上記「閉じた環状体１３が構成された状態」において掛け金７の他端側７Ｃと係合して当該掛け金７を施錠位置（図２Ｂ参照）に維持する。
【００２０】
第２錠前機構９はダイヤル式の錠前である。第２錠前機構９は箱本体３Ａに組み付けられている。そして、第２錠前機構９を施錠又は解錠するためのダイヤル部９Ａは、ボックス部３内に位置している。
【００２１】
つまり、ボックス部３が開放状態となったときのみ第２錠前機構９を施錠又は解錠可能な状態となる。したがって、ボックス部３が非開放状態では第２錠前機構９を施錠又は解錠することができない。
【００２２】
図２Ｂに示すように、ボックス部３（本実施形態では、箱本体３Ａ）に貫通穴３Ｃが設けられている。貫通穴３Ｃの穴径は、ワイヤー１１が貫通挿入可能な穴径であって、一般的な大きな鍵Ｋが貫通不可な穴径である。
【００２３】
ワイヤー１１は、金属等の引張強度が高く、かつ、ナイフやカッター等にて容易に切断できない材質にて構成された可撓性を有する索体である。ワイヤー１１の一端には、掛け金７が貫通挿入可能な環状部１１Ａが設けられている。ワイヤー１１の他端には、鍵Ｋが連結可能な鍵連結部１１Ｂが設けられている。
【００２４】
２．キーボックスの使用方法例及びその特徴
利用者は、先ず、キーボックス１内に保管したい鍵Ｋにワイヤー１１の鍵連結部１１Ｂを連結する（図２Ｂ参照）。次に、利用者は、ワイヤー１１の環状部１１Ａ側を貫通穴３Ｃに貫通挿入した後、当該環状部１１Ａに掛け金７を通す。
【００２５】
その後、利用者は、掛け金７を施錠位置として、箱本体３Ａ及び掛け金７により閉じた環状体１３を構成するともに、第２錠前機構９を施錠する（図２Ｂ参照）。これにより、鍵Ｋは、ワイヤー１１を介してキーボックス１の掛け金７に係合した状態となる（図１Ｂ参照）。
【００２６】
次に、利用者は、当該鍵Ｋをボックス部３内に収納した状態で蓋部３Ｂを閉じてボックス部３を非開放状態とした後、第１錠前機構５を施錠する。これにより、ボックス部３内に鍵Ｋが収納された状態で、第２錠前機構９を操作することができない状態となる。
【００２７】
すなわち、鍵Ｋを盗み出す者には、第１錠前機構５を解錠した後、更に、第２錠前機構９を解錠する必要がある。このため、鍵Ｋを盗み出す者は、ボックス部３を開放状態としたのみでは、当該鍵Ｋを盗むことはできない。したがって、キーボックス１内に収納された鍵Ｋを盗まれ難くすることが可能となる。
【００２８】
（その他の実施形態）
上述の実施形態では、第１錠前機構５及び第２錠前機構９はダイヤル式の錠前であったが、本考案はこれに限定されるものではなく、その他方式の錠前であってもよい。
【００２９】
上述の実施形態では、貫通穴３Ｃが箱本体３Ａに設けられていたが、本考案はこれに限定されるものではなく、例えば蓋部３Ｂに設けられていてもよい。
上述の実施形態に係る掛け金７は、Ｊ字状又はＵ字状に湾曲したものであったが、本考案はこれに限定されるものではなく、例えば、直線状の掛け金７であってもよい。
【００３０】
上述の実施形態では、第１錠前機構５が蓋部３Ｂに設けられ、第２錠前機構９が箱本体３Ａに設けられていたが、本考案はこれに限定されるものではなく、例えば、第１錠前機構５が箱本体３Ａに設けられ、第２錠前機構９が蓋部３Ｂに設けられた構成、又は第１錠前機構５及び第２錠前機構９が箱本体３Ａ及び蓋部３Ｂのうちいずれか一方に設けられた構成であってもよい。
【００３１】
上述の実施形態に係るワイヤー１１は、複数の金属製素線を撚ったものであったが、本考案はこれに限定されるものではなく、例えばチェーン等であってもよい。
また、本考案は、実用新案登録請求の範囲に記載された考案の趣旨に合致するものであればよく、上述の実施形態に限定されるものではない。
【符号の説明】
【００３２】
１… キーボックス  ３… ボックス部  ３Ａ… 箱本体  ３Ｂ… 蓋部
３Ｃ… 貫通穴  ５… 第１錠前機構  ５Ａ… 係合突起部
５Ｂ… ダイヤル部  ７… 掛け金  ７Ａ… 湾曲部  ９… 第２錠前機構
９Ａ… ダイヤル部  １１… ワイヤー  １１Ａ… 環状部
１１Ｂ… 鍵連結部  １３… 環状体
【図１】
0003201477.tif 000003
【図２】
0003201477.tif 000004